(57)【要約】  本開示の道路監視システムは、道路（１０）に敷設された通信用光ファイバを含むケーブル（２０）と、ケーブル（２０）に含まれる少なくとも１つの通信用光ファイバから、光信号を受信する受信部（３３１）と、光信号に基づいて、道路（１０）の状態に応じたパターンを検出し、検出された道路（１０）の状態に応じたパターンに基づいて、道路（１０）の異常状態を検出する検出部（３３２）と、を備える。
2020116032.tif 000002
【特許請求の範囲】
【請求項１】
道路に敷設された通信用光ファイバを含むケーブルと、
前記ケーブルに含まれる少なくとも１つの通信用光ファイバから、光信号を受信する受信部と、
前記光信号に基づいて、前記道路の状態に応じたパターンを検出し、検出された前記道路の状態に応じたパターンに基づいて、前記道路の異常状態を検出する検出部と、
を備える道路監視システム。
【請求項２】
前記受信部は、
前記光信号に基づいて、前記光信号が発生した前記道路の位置を特定し、
前記検出部は、
前記検出された前記道路の状態に応じたパターンに基づいて、前記特定された前記道路の位置の異常状態を検出する、
請求項１に記載の道路監視システム。
【請求項３】
前記検出された前記道路の異常状態の情報を、車両の運転者に配信する配信部をさらに備える、
請求項１又は２に記載の道路監視システム。
【請求項４】
道路に敷設されたケーブルに含まれる少なくとも１つの通信用光ファイバから、光信号を受信する受信部と、
前記光信号に基づいて、前記道路の状態に応じたパターンを検出し、検出された前記道路の状態に応じたパターンに基づいて、前記道路の異常状態を検出する検出部と、
を備える道路監視装置。
【請求項５】
前記受信部は、
前記光信号に基づいて、前記光信号が発生した前記道路の位置を特定し、
前記検出部は、
前記検出された前記道路の状態に応じたパターンに基づいて、前記特定された前記道路の位置の異常状態を検出する、
請求項４に記載の道路監視装置。
【請求項６】
道路監視装置による道路監視方法であって、
道路に敷設されたケーブルに含まれる少なくとも１つの通信用光ファイバから、光信号を受信し、
前記光信号に基づいて、前記道路の状態に応じたパターンを検出し、検出された前記道路の状態に応じたパターンに基づいて、前記道路の異常状態を検出する、
道路監視方法。
【請求項７】
コンピュータに、
道路に敷設されたケーブルに含まれる少なくとも１つの通信用光ファイバから、光信号を受信する手順と、
前記光信号に基づいて、前記道路の状態に応じたパターンを検出し、検出された前記道路の状態に応じたパターンに基づいて、前記道路の異常状態を検出する手順と、
を実行させるためのプログラムを格納した非一時的なコンピュータ可読媒体。
【発明の詳細な説明】
【技術分野】
【０００１】
本開示は、道路監視システム、道路監視装置、道路監視方法、及び非一時的なコンピュータ可読媒体に関する。
【背景技術】
【０００２】
従来、道路の異常検出は、人の手によって行われていることが多く、例えば、作業員が目視で又はサーモグラフィカメラ等を用いて路面温度の異常（例えば、路面凍結等）を監視したり、目視で又はカメラ等を用いて土砂崩れの発生、高速道路等への動物や人間の侵入等を監視したりしていた。しかし、人の手によって道路の異常検出を行う場合、コスト・時間が多大にかかり、異常の発見や対処が遅れてしまうことがある。
そのため、最近は、道路の異常を、光ファイバを用いて監視するシステムが提案されている（例えば、特許文献１）。【０００３】
特許文献１に記載の技術においては、道路脇に光ファイバを敷設し、光ファイバに落石がぶつかる等の大きな外力が加わると、光ファイバ中の光信号の偏光状態が変化することを利用して、道路への落石を検出する。このとき、落石以外の原因による誤動作を防ぐため、外傷防止のための鋼線で光ファイバケーブルを被覆している。
【先行技術文献】
【特許文献】
【０００４】
【特許文献１】特開２０００−１８０２１９号公報
【発明の概要】
【発明が解決しようとする課題】
【０００５】
特許文献１に記載の技術においては、光ファイバに強い応力がかかった場合の光信号の偏光状態を監視することで道路の異常検出を行っている。
したがって、道路への落石等の極端な状態は検出することができるものの、光ファイバへの応力にほとんど影響しないような状態の検出は困難であるという課題がある。【０００６】
一方、近年、ＩｏＴ（Internet of Things）等の発展に伴い、道路の路面温度等の様々な環境変化等も検出する需要が高まっている。しかし、道路の環境変化等は、光ファイバへの応力への顕著な変化に現れない可能性が高い。【０００７】
そこで本開示の目的は、上述した課題を解決し、道路の異常状態を高精度に検出することができる道路監視システム、道路監視装置、道路監視方法、及び非一時的なコンピュータ可読媒体を提供することにある。
【課題を解決するための手段】
【０００８】
一態様による道路監視システムは、
道路に敷設された通信用光ファイバを含むケーブルと、
前記ケーブルに含まれる少なくとも１つの通信用光ファイバから、光信号を受信する受信部と、
前記光信号に基づいて、前記道路の状態に応じたパターンを検出し、検出された前記道路の状態に応じたパターンに基づいて、前記道路の異常状態を検出する検出部と、
を備える。【０００９】
一態様による道路監視装置は、
道路に敷設されたケーブルに含まれる少なくとも１つの通信用光ファイバから、光信号を受信する受信部と、
前記光信号に基づいて、前記道路の状態に応じたパターンを検出し、検出された前記道路の状態に応じたパターンに基づいて、前記道路の異常状態を検出する検出部と、
を備える。【００１０】
一態様による道路監視方法は、
道路監視装置による道路監視方法であって、
道路に敷設されたケーブルに含まれる少なくとも１つの通信用光ファイバから、光信号を受信し、
前記光信号に基づいて、前記道路の状態に応じたパターンを検出し、検出された前記道路の状態に応じたパターンに基づいて、前記道路の異常状態を検出する。【００１１】
一態様による非一時的なコンピュータ可読媒体は、
コンピュータに、
道路に敷設されたケーブルに含まれる少なくとも１つの通信用光ファイバから、光信号を受信する手順と、
前記光信号に基づいて、前記道路の状態に応じたパターンを検出し、検出された前記道路の状態に応じたパターンに基づいて、前記道路の異常状態を検出する手順と、
を実行させるためのプログラムを格納した非一時的なコンピュータ可読媒体である。
【発明の効果】
【００１２】
上述の態様によれば、道路の異常状態を高精度に検出することができるという効果が得られる。
【図面の簡単な説明】
【００１３】
【図１】実施の形態に係る道路監視システムの構成の一例を示す図である。
【図２】実施の形態に係る道路監視システムにおける方法Ｂによる機械学習の一例を示す図である。
【図３】実施の形態に係る異常レベル情報の一例を示す図である。
【図４】実施の形態に係る検出部により検出された異常状態に基づき実現可能なアプリケーションの一例を示す図である。
【図５】実施の形態に係る道路監視装置を実現するコンピュータのハードウェア構成の一例を示すブロック図である。
【図６】実施の形態に係る道路監視システムの動作フローの一例を示すフロー図である。
【図７】他の実施の形態に係る道路監視システムの一例を示す図である。
【図８】他の実施の形態に係る道路監視システムの他の例を示す図である。
【図９】他の実施の形態に係る道路監視システムにおけるファイバセンシング部の配置の一例を示す図である。
【図１０】他の実施の形態に係る道路監視システムにおけるファイバセンシング部の配置の他の例を示す図である。
【図１１】他の実施の形態に係る道路監視システムにおけるファイバセンシング部の配置のさらに他の例を示す図である。
【図１２】他の実施の形態に係る道路監視システムにおけるファイバセンシング部の配置のさらに別の例を示す図である。
【図１３】図９の道路監視システムにおける光ファイバケーブルの断線時のファイバセンシング部の動作の一例を示す図である。
【図１４】図１０の道路監視システムにおける光ファイバケーブルの断線時のファイバセンシング部の動作の一例を示す図である。
【図１５】図１２の道路監視システムにおける光ファイバケーブルの断線時のファイバセンシング部の動作の一例を示す図である。
【発明を実施するための形態】
【００１４】
以下、図面を参照して本開示の実施の形態について説明する。
＜実施の形態＞
＜実施の形態の構成＞
まず、図１を参照して、本実施の形態に係る道路監視システムの構成について説明する。
【００１５】
図１に示されるように、本実施の形態に係る道路監視システムは、道路１０の異常状態を検出するものであり、光ファイバケーブル２０及び道路監視装置３３を備えている。
【００１６】
光ファイバケーブル２０は、道路１０に沿って敷設されている。図１では、光ファイバケーブル２０は、道路１０の下に敷設されているが、これには限定されず、道路１０の脇等に敷設されても良い。また、このとき、道路１０の特に状態を検出したい位置については、例えば、光ファイバケーブル２０をループを形成しながら敷設する等して、光ファイバケーブル２０を密に設置しても良い。これにより、道路１０の異常の検知率の向上を図れる。
光ファイバケーブル２０は、１以上の通信用光ファイバを被覆して構成されるケーブルであり、一端は通信キャリア局舎３０の内部に引き回されている。
【００１７】
本実施の形態に係る道路監視システムは、光ファイバをセンサとして用いる光ファイバセンシング技術を利用して、道路１０の異常状態を検出する。
具体的には、通信キャリア局舎３０の内部では、光ファイバケーブル２０に含まれる通信用光ファイバにパルス光を入射する。すると、パルス光が道路１０の方向に通信用光ファイバを伝送されることに伴い、伝送距離毎に後方散乱光が発生する。この後方散乱光は、同じ通信用光ファイバを経由して通信キャリア局舎３０の内部に戻ってくる。
【００１８】
ここで、道路１０は、土砂崩れ等が発生すると振動し、道路１０の振動は、通信用光ファイバに伝達される。また、道路１０は、火災等が発生すると温度が上昇し、道路１０の温度変化も、通信用光ファイバに伝達される。また、道路１０は、路面劣化等が発生すると路面劣化に応じた音が発生し、音の変化も、通信用光ファイバに伝達される。そのため、通信用光ファイバにおいて、道路１０の振動、温度、及び音が伝達されるパターンは、道路１０の状態（例えば、路面温度の異常の有無、土砂崩れや落石の発生の有無、高速道路等への動物や人間等の侵入の有無、火災の発生の有無、地震の発生の有無、強風（例えば、台風や竜巻を含む）の発生の有無、路面劣化の有無、水害の発生の有無等）に応じて異なっている。
【００１９】
そのため、通信キャリア局舎３０の内部に戻ってくる後方散乱光には、道路１０の状態に応じたパターンが含まれる。図１の例では、通信キャリア局舎３０の内部に戻ってくる後方散乱光には、道路１０の様々な位置の状態に応じたパターンが含まれることになる。
【００２０】
本実施の形態に係る道路監視システムは、通信キャリア局舎３０の内部に戻ってくる後方散乱光に、道路１０の状態に応じたパターンが含まれることを利用して、その道路１０の異常状態（例えば、路面温度の異常、土砂崩れや落石の発生、高速道路等への動物や人間等の侵入、火災の発生、地震の発生、強風（例えば、台風や竜巻を含む）の発生、路面劣化等）を検出するものである。
【００２１】
ここで、通信キャリア局舎３０の内部においては、上述した道路監視装置３３が設けられている。道路監視装置３３は、本実施の形態の実現のために新規に設置された設備である。
【００２２】
道路監視装置３３は、光ファイバセンシング機器としての機能を備える他、道路１０の異常状態を検出する機能を備える装置である。具体的には、道路監視装置３３は、ファイバセンシング部３３１及び検出部３３２を備えている。ファイバセンシング部３３１は、受信部の一例である。
【００２３】
ファイバセンシング部３３１は、光ファイバケーブル２０に含まれる少なくとも１つの通信用光ファイバにパルス光を入射する。このパルス光は、道路１０の方向に伝送される。また、ファイバセンシング部３３１は、パルス光を入射した通信用光ファイバと同じ通信用光ファイバから、パルス光に対する後方散乱光を受信する。この後方散乱光は、道路１０の方向から受信される。
【００２４】
このとき、上述のように、ファイバセンシング部３３１により受信された後方散乱光は、道路１０の状態に応じたパターンを含んでいる。また、図１の例では、ファイバセンシング部３３１は、道路１０の様々な位置にて発生した後方散乱光を時系列的に受信する。
【００２５】
そのため、ファイバセンシング部３３１は、後方散乱光を受信すると、まず、その後方散乱光が発生した道路１０の位置を特定する。さらに、ファイバセンシング部３３１は、特定された位置での振動の状態、温度の状態、音の状態等を検出する。
その上で、検出部３３２は、ファイバセンシング部３３１による後方散乱光の処理結果に基づいて、道路１０の特定された位置の状態に応じたパターンを検出し、検出されたパターンに基づいて、道路１０の特定された位置の異常状態を検出する。
【００２６】
そこで以下では、まず、ファイバセンシング部３３１において、後方散乱光が受信された場合に、その後方散乱光が発生した位置を特定する方法について説明する。
【００２７】
本実施の形態においては、ファイバセンシング部３３１は、通信用光ファイバにパルス光を入射した時刻と、同じ通信用光ファイバから後方散乱光を受信した時刻と、の時間差に基づいて、その後方散乱光が発生した発生位置を特定する。このとき、ファイバセンシング部３３１は、上述の時間差が小さいほど、ファイバセンシング部３３１から近くなるように、発生位置を特定する。
【００２８】
続いて以下では、検出部３３２において、道路１０の異常状態を検出する方法について説明する。
（Ａ）方法Ａ
まず、道路１０の異常状態を検出する方法Ａについて説明する。
ファイバセンシング部３３１は、通信用光ファイバから受信された後方散乱光が発生した道路１０の位置を特定する処理を行う。さらに、ファイバセンシング部３３１は、その後方散乱光を分散型音響センサ（Distributed Acoustic Sensor）、分散型振動センサ（Distributed Vibration Sensor）、及び分散型温度センサ（Distributed Temperature Sensor）等にて検出することで、道路１０の特定された位置での振動の状態、温度の状態、音の状態等を検出する処理を行う。
そのため、検出部３３２は、ファイバセンシング部３３１による後方散乱光の処理結果に基づいて、道路１０の状態に応じたパターンを検出する。
【００２９】
ここで、検出部３３２は、道路１０の状態に応じたパターンと、道路１０の状態と、を対応付けた対応テーブルを保持している。そのため、検出部３３２は、道路１０の異常状態を検出する場合、まず、道路１０の状態に応じたパターンを検出する。続いて、検出部３３２は、上述の対応テーブルを用いて、上記で取得した道路１０の状態に応じたパターンに対応する、道路１０の状態を特定することにより、道路１０が異常状態であるか否かを判定する。
【００３０】
（Ｂ）方法Ｂ
続いて、道路１０の異常状態を検出する方法Ｂについて説明する。
本方法Ｂでは、検出部３３２は、道路１０の状態に応じたパターンを機械学習（例えば、深層学習等）し、機械学習の学習結果（初期学習モデル）を用いて、道路１０の異常状態を検出する。
【００３１】
まず、図２を参照して、本方法Ｂにおける機械学習の方法について説明する。ここでは、道路１０において、ファイバセンシング部３３１からの距離がｘｘ［ｋｍ］、ｙｙ［ｋｍ］、ｚｚ［ｋｍ］の３箇所のパターンを教師データとして学習する方法について説明する。
図２に示されるように、検出部３３２は、道路１０の３箇所の異常度合いを示す異常レベル情報である教師データと、３箇所の状態に応じたパターンと、を入力する（ステップＳ１，Ｓ２）。図３に、教師データとなる異常レベル情報の一例を示す。なお、図３において、異常レベルは、数値が大きいほど、異常度合いが進行していることを示している。また、異常レベル情報は、検出部３３２が保持する。
【００３２】
続いて、検出部３３２は、両者のマッチング及び分類を行って（ステップＳ３）、教師あり学習を行う（ステップＳ４）。これにより、初期学習モデルが得られる（ステップＳ５）。この初期学習モデルは、道路１０の状態に応じたパターンを入力すると、道路１０の状態が出力されるモデルとなる。
【００３３】
続いて、本方法Ｂにおける道路１０の異常状態を検出する方法について説明する。
検出部３３２は、道路１０の異常状態を検出する場合、上述の方法Ａと同様に、まず、道路１０の状態に応じたパターンを検出する。続いて、検出部３３２は、そのパターンを初期学習モデルに入力する。これにより、検出部３３２は、初期学習モデルの出力結果として、道路１０の状態が得られるため、道路１０が異常状態であるか否かを判定する。
【００３４】
上述のように、本方法Ｂでは、道路１０の状態に応じたパターンを機械学習し、機械学習の学習結果を用いて、道路１０の異常状態を検出する。
データから道路１０の状態を検出するための特徴を抽出することが、人間による解析では困難な場合がある。本方法Ｂでは、大量のパターンから学習モデルを構築することにより、人間での解析では困難であった場合でも、道路１０の異常状態を高精度に検出することができる。
【００３５】
なお、本方法Ｂにおける機械学習においては、初期状態では、２つ以上の教師データに基づいて、学習モデルを生成すれば良い。また、この学習モデルには、新たに検出されたパターンを、新たに学習させても良い。その際、新たな学習モデルから、道路１０の異常状態を検出する詳細条件を調整しても良い。
【００３６】
続いて以下では、図２を参照して、検出部３３２により検出された道路１０の異常状態に基づいて実現可能なアプリケーションについて説明する。
検出部３３２により検出された道路１０の異常状態に基づいて、例えば、以下の（ａ）〜（ｇ）のアプリケーションを実現することが可能である。以下、各アプリケーションについて説明する。
【００３７】
（ａ）路面凍結検知
課題及び効果：
道路１０の路面凍結は、交通事故につながる可能性があるため、どの区間でどこまで路面が凍結しているのか適切に把握することが必要となる。
動作概要：
道路１０の表面温度を、道路１０の下に敷設された光ファイバケーブル２０を介してモニタし、特定温度以下の場合を路面凍結として検知する。
【００３８】
（ｂ）土砂崩れ、落石検知、動物や人間の侵入検知
課題及び効果：
土砂崩れ、落石の発生及び動物や人間等の侵入等をリモートからリアルタイムで検知することにより、車両（自動車）の運転者への適切な通知、危険区域への対処を迅速に行うことが可能となる。
動作概要：
土砂崩れ、落石、動物や人間等の侵入等で発生する振動を、道路１０の下に敷設された光ファイバケーブル２０を介してモニタし、振動のパターンの特徴により異常を検知する。
また、フェンスや山の斜面へ光ファイバケーブル２０を敷設する形態でも良い。
【００３９】
（ｃ）道路火災検知
課題及び効果：
火災が発生した状況をリモートからリアルタイムでモニタすることにより、迅速な消化活動が可能となる。
動作概要：
道路１０の表面温度を、道路１０の下に敷設された光ファイバケーブル２０を介してモニタし、特定温度以上であった場合を火災として検知する。
【００４０】
（ｄ）地震検知
課題及び効果：
広域の振動状況をモニタすることにより、地震の発生位置及び地震の伝搬を把握することが可能となる。地震の速報や迅速な状況把握することが可能となる。
動作概要：
道路１０に埋設された光ファイバケーブル２０の振動をモニタし、広域の振動状況を分析することにより震源地や地震到達速度を検知する。
【００４１】
（ｅ）強風（台風や竜巻含む）の発生
課題及び効果：
道路１０全体の風速をリモートから検知することにより、危険区域への車両の進行を回避する。
動作概要：
道路１０沿いに敷設された光ファイバケーブル２０の振動から風速をモニタする。
風速が閾値を超えた場合を強風として検知する。
【００４２】
（ｆ）路面劣化 
課題及び効果：
道路１０全域で路面のひび割れ、劣化状態を監視することにより、人手で行っていた検査の軽減が可能となる。
動作概要：
道路１０で発生した音や振動をモニタする。
振動のパターンの特徴により路面劣化を検知する。
【００４３】
（ｇ）水害
課題及び効果：
道路１０全体の水害状況をリモートから検知することにより、危険区域への車両の進行を回避する。
動作概要：
道路１０全体の温度状況から温度の変化が顕著に変化している位置を特定し、特定された位置に水害が発生していると判定する。
【００４４】
続いて以下では、図５を参照して、道路監視装置３３を実現するコンピュータ４０のハードウェア構成について説明する。
図５に示されるように、コンピュータ４０は、プロセッサ４０１、メモリ４０２、ストレージ４０３、入出力インタフェース（入出力Ｉ／Ｆ）４０４、及び通信インタフェース（通信Ｉ／Ｆ）４０５などを備える。プロセッサ４０１、メモリ４０２、ストレージ４０３、入出力インタフェース４０４、及び通信インタフェース４０５は、相互にデータを送受信するためのデータ伝送路で接続されている。
【００４５】
プロセッサ４０１は、例えばＣＰＵ（Central Processing Unit）やＧＰＵ（Graphics Processing Unit）などの演算処理装置である。メモリ４０２は、例えばＲＡＭ（Random Access Memory）やＲＯＭ（Read Only Memory）などのメモリである。ストレージ４０３は、例えばＨＤＤ（Hard Disk Drive）、ＳＳＤ（Solid State Drive）、またはメモリカードなどの記憶装置である。また、ストレージ４０３は、ＲＡＭやＲＯＭ等のメモリであっても良い。
【００４６】
ストレージ４０３は、道路監視装置３３が備えるファイバセンシング部３３１及び検出部３３２の機能を実現するプログラムを記憶している。プロセッサ４０１は、これら各プログラムを実行することで、ファイバセンシング部３３１及び検出部３３２の機能をそれぞれ実現する。ここで、プロセッサ４０１は、上記各プログラムを実行する際、これらのプログラムをメモリ４０２上に読み出してから実行しても良いし、メモリ４０２上に読み出さずに実行しても良い。また、メモリ４０２やストレージ４０３は、ファイバセンシング部３３１及び検出部３３２が保持する情報やデータを記憶する役割も果たす。
【００４７】
また、上述したプログラムは、様々なタイプの非一時的なコンピュータ可読媒体（non-transitory computer readable medium）を用いて格納され、コンピュータ（コンピュータ４０を含む）に供給することができる。非一時的なコンピュータ可読媒体は、様々なタイプの実体のある記録媒体（tangible storage medium）を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Compact Disc-Read Only Memory）、ＣＤ−Ｒ（CD-Recordable）、ＣＤ−Ｒ／Ｗ（CD-ReWritable）、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００４８】
入出力インタフェース４０４は、表示装置４０４１や入力装置４０４２などと接続される。表示装置４０４１は、ＬＣＤ（Liquid Crystal Display）やＣＲＴ（Cathode Ray Tube）ディスプレイのような、プロセッサ４０１により処理された描画データに対応する画面を表示する装置である。入力装置４０４２は、オペレータの操作入力を受け付ける装置であり、例えば、キーボード、マウス、及びタッチセンサなどである。表示装置４０４１及び入力装置４０４２は一体化され、タッチパネルとして実現されていても良い。なお、コンピュータ４０は、分散型音響センサ、分散型振動センサ、及び分散型温度センサを含む不図示のセンサなども備え、このセンサを入出力インタフェース４０４に接続した構成であっても良い。
【００４９】
通信インタフェース４０５は、外部の装置との間でデータを送受信する。例えば、通信インタフェース４０５は、有線通信路または無線通信路を介して外部装置と通信する。
【００５０】
＜実施の形態の動作＞
以下、本実施の形態に係る道路監視システムの動作について説明する。ここでは、図６を参照して、本実施の形態に係る道路監視システムの動作フローについて説明する。
【００５１】
図６に示されるように、まず、ファイバセンシング部３３１は、光ファイバケーブル２０に含まれる少なくとも１つの通信用光ファイバにパルス光を入射する（ステップＳ１１）。
続いて、ファイバセンシング部３３１は、パルス光を入射した通信用光ファイバと同じ通信用光ファイバから後方散乱光を受信する（ステップＳ１２）。
【００５２】
続いて、ファイバセンシング部３３１は、ステップＳ１２で受信された後方散乱光を発生した道路１０の位置を特定する（ステップＳ１３）。このとき、ファイバセンシング部３３１は、上述した時間差に基づく方法を用いて、後方散乱光を発生した位置を特定すれば良い。さらに、ファイバセンシング部３３１は、道路１０の特定された位置での振動の状態、温度の状態、音の状態等を検出する。
【００５３】
その後、検出部３３２は、ステップＳ１２で受信された後方散乱光に基づいて、ステップＳ１３で特定された道路１０の位置の状態に応じたパターンを検出する。より詳細には、そのパターンは、ファイバセンシング部３３１による後方散乱光の処理結果に基づいて検出する。その上で、検出部３３２は、検出されたパターンに基づいて、ステップＳ１３で特定された道路１０の位置の異常状態を検出する（ステップＳ１４）。このとき、検出部３３２は、上述した方法Ａ及び方法Ｂのいずれかの方法を用いて、異常状態を検出すれば良い。
【００５４】
なお、図６においては、ステップＳ１２において、後方散乱光を受信する度に、ステップＳ１３，Ｓ１４の処理を行っても良い。又は、ステップＳ１２において、後方散乱光が複数受信された後、後方散乱光毎に、ステップＳ１３，Ｓ１４の処理を行っても良い。
【００５５】
＜実施の形態の効果＞
上述したように本実施の形態によれば、光ファイバケーブル２０に含まれる少なくとも１つの通信用光ファイバから後方散乱光（光信号）を受信し、受信された後方散乱光に基づいて、道路１０の状態に応じたパターンを検出し、検出されたパターンに基づいて、道路１０の異常状態を検出する。そのため、道路１０の異常状態を高精度に検出することができる。
【００５６】
また、本実施の形態によれば、道路１０の異常状態を検出するには、既存の通信用光ファイバがあれば良く、特許文献１のように、外傷防止のための鋼線で光ファイバケーブルを被覆する必要はない。したがって、道路１０の異常状態を検出するための専用構造を必要としないため、道路監視システムを安価に構築することができる。
【００５７】
また、本実施の形態によれば、既存の通信用光ファイバを用いて、一斉かつリモートで複数の道路１０の異常状態を検出することができるため、道路１０の状態把握が容易となると共に、道路１０の状態把握のためのコストも低減することができる。
【００５８】
また、本実施の形態によれば、光ファイバをセンサとして用いる光ファイバセンシング技術を利用する。そのため、電磁ノイズの影響を受けない、センサへの給電が不要になる、環境耐性に優れる、メンテナンスが容易になる等の利点が得られる。
【００５９】
＜他の実施の形態＞
なお、検出部３３２は、道路１０の位置毎に、上記で検出された道路１０の異常状態を保持することとし、定期的に（例えば、１年毎）、その位置の異常状態を検出することで、その位置の異常状態の経時的な状態変化を検出しても良い。
【００６０】
また、検出部３３２は、道路１０の位置の異常状態の経時的な状態変化に基づいて、その位置の異常又は破損の予兆を検出しても良い。
【００６１】
また、検出部３３２により異常と検出された道路１０の位置の部分を、分析者が実際に分解して、実際の異常レベルを判定しても良い。このとき、検出部３３２が検出した異常レベルと、分析者が判定した異常レベルと、に差分があれば、その差分を検出部３３２にフィードバックしても良い。この場合、検出部３３２は、以降、実際の異常レベルに近づくように、道路１０の異常状態を検出するため、検出精度の向上が図れる。
【００６２】
また、検出部３３２において、上述の方法Ｂにより、道路１０の状態に応じたパターンを機械学習する場合、地域によっても道路１０の状態は異なると考えられる。例えば、温暖地と寒冷地とで状態は異なると考えられる。そのため、検出部３３２は、地域毎に、その地域に応じた教師データを用いて、機械学習しても良い。
【００６３】
また、上述の実施の形態では、既存の光ファイバケーブル２０を用いることを想定したが、図７に示されるように、光ファイバケーブル２０を新設し、新設した光ファイバケーブル２０にデータ収集部３４を接続しても良い。データ収集部３４も、道路１０のパターン（例えば、音、温度、振動等）のデータを収集し、収集したデータを検出部３３２に送信する。このとき、データ収集部３４から検出部３３２へデータの送信は、光ファイバケーブル２０を介して行っても良いし、別に設けた無線機を介して行っても良い。検出部３３２は、データ収集部３４及びファイバセンシング部３３１が収集したデータに基づいて、道路１０の異常状態を検出する。そのため、検出精度の向上を図ることができる。
【００６４】
また、図８に示されるように、道路監視装置３３による検出結果に基づいて、道路１０における車両の交通を管理する交通管制システム５０を設けても良い。交通管制システム５０は、配信部の一例である。交通管制システム５０は、道路１０の異常状態が検出された場合、車両の運転者に対し、その道路１０に異常が検出されたこと等を、ハイウェイラジオ、その道路１０上の情報盤、インターネット、アプリケーション等を介して、配信しても良い。また、交通管制システム５０は、道路１０の異常状態が検出された場合、車両の運転者に対し、車両を運転する上での注意喚起等を配信しても良い。また、交通管制システム５０は、異常が検出された道路１０を通行止めにする場合、車両の運転者に対し、通行止め情報を配信しても良い。また、交通管制システム５０は、システム管理者等に対し、道路１０の異常状態、道路１０の異常状態の経時的な状態変化、道路１０の異常又は破損の予兆等を提示しても良い。また、交通管制システム５０は、道路監視装置３３による検出結果に基づいて、道路１０の舗装時期を算出し、システム管理者等に対し、道路１０の舗装時期を提示しても良い。また、交通管制システム５０は、通信キャリア局舎３０の外部に設けているが、一部の機能（例えば、配信部の機能等）を通信キャリア局舎３０の内部に設けても良い。また、交通管制システム５０を通信キャリア局舎３０の外部に設ける場合、複数の通信キャリア局舎３０の各々に光ファイバケーブル２０により接続されている道路１０を、１つの交通管制システム５０で集中的に監視しても良い。
【００６５】
また、道路監視装置３３のファイバセンシング部３３１及び検出部３３２を互いに分離して設けても良い。例えば、通信キャリア局舎３０の内部には、ファイバセンシング部３３１のみを設け、検出部３３２を含む道路監視装置３３を、通信キャリア局舎３０の外部に設けても良い。
【００６６】
また、上述の実施の形態では、ファイバセンシング部３３１は、１つのみ設けられ、また、光ファイバケーブル２０を占有しているが、これには限定されない。ここで、図９〜図１２を参照して、他の実施の形態に係る道路監視システムにおけるファイバセンシング部３３１の配置について説明する。なお、図９〜図１２においては、検出部３３２の図示は省略されている。
【００６７】
図９の例では、ファイバセンシング部３３１は、既存の通信設備３１と光ファイバケーブル２０を共有している。また、ファイバセンシング部３３１及び既存の通信設備３１で光ファイバケーブル２０を共有するため、信号分離のためのフィルタ３２が設けられている。
【００６８】
図１０の例では、複数の通信キャリア局舎３０（図１０では、２つの通信キャリア局舎３０Ａ，３０Ｚ）の各々に、ファイバセンシング部３３１が１つずつ設けられている。具体的には、通信キャリア局舎３０Ａ，３０Ｚの内部にファイバセンシング部３３１Ａ，３３１Ｚがそれぞれ設けられている。なお、図１０の例では、通信キャリア局舎３０Ａには、道路１０Ａが光ファイバケーブル２０により接続され、通信キャリア局舎３０Ｚには、道路１０Ｂが光ファイバケーブル２０により接続され、道路１０Ａ，１０Ｂが光ファイバケーブル２０により接続されている。通信設備３１Ａ，３１Ｚは通信設備３１に対応し、フィルタ３２Ａ，３２Ｚはフィルタ３２に対応する。
図１０の例では、ファイバセンシング部３３１Ａ，３３１Ｚが共に、道路１０Ａ，１０Ｂをモニタする。
【００６９】
図１１の例では、図１０と比較して、道路１０Ａの付近にデータ収集部３４が設けられている。ここでは、道路１０Ａ，１０Ｂに対して、データ収集部３４が１個のみ設けられているが、データ収集部３４は、所定数の道路１０に対して１個、又は、道路１０の所定道路長に対して１個設けることとし、１個以上設ければ良い。
【００７０】
図１１の例では、各データ収集部３４は、対応する道路１０のパターン（例えば、音、温度、振動等）のデータを収集し、検出部３３２は、各データ収集部３４が収集したデータを集約する。このとき、各データ収集部３４から検出部３３２へデータの送信は、光ファイバケーブル２０を介して行っても良いし、別に設けた無線機を介して行っても良い。検出部３３２は、データ収集部３４がデータを収集した道路１０については、そのデータに基づいて異常状態を検出する。
【００７１】
そのため、１つのファイバセンシング部３３１のモニタ区間が短くなり、モニタ対象の道路１０の数や道路長が減少する。ファイバセンシング部３３１のモニタ区間が短いことにより、パルス光及び後方散乱光の伝送距離が短くなるため、ファイバ損失が小さくなる。これにより、受信する後方散乱光のＳ／Ｎ比（signal-to-noise ratio）が改善し、モニタ精度の向上を図ることができる。また、ファイバセンシング部３３１のモニタ対象の道路１０の数や道路長が減少することにより、モニタ周期の向上を図ることができる。
【００７２】
図１２の例では、１つの通信キャリア局舎３０ＡＺに、複数のファイバセンシング部３３１（図１２では、２つのファイバセンシング部３３１Ａ，３３１Ｚ）が設けられている。なお、図１２の例では、ファイバセンシング部３３１Ａには、道路１０Ａが光ファイバケーブル２０により接続され、ファイバセンシング部３３１Ｚには、道路１０Ｂが光ファイバケーブル２０により接続され、道路１０Ａ，１０Ｂが光ファイバケーブル２０により接続されている。通信設備３１Ａ，３１Ｚは通信設備３１に対応し、フィルタ３２Ａ，３２Ｚはフィルタ３２に対応する。
【００７３】
図１２の例では、ファイバセンシング部３３１Ａ，３３１Ｚが共に、道路１０Ａ，１０Ｂをモニタする。ただし、ファイバセンシング部３３１Ａは、時計回りの方向にパルス光を入射して、道路１０Ａ，１０Ｂをモニタし、ファイバセンシング部３３１Ｚは、反時計回りの方向にパルス光を入射して、道路１０Ａ，１０Ｂをモニタする。
【００７４】
なお、図１０〜図１２のように、複数のファイバセンシング部３３１を設ける場合、複数のファイバセンシング部３３１に対して、検出部３３２を含む道路監視装置３３を１つ設けても良い。そして、複数のファイバセンシング部３３１の各々に光ファイバケーブル２０により接続されている道路１０の状態を、１つの道路監視装置３３で集中的に検出しても良い。この場合、道路監視装置３３は、通信キャリア局舎３０のいずれかの内部に設けても良いし、通信キャリア局舎３０の外部に設けても良い。
【００７５】
また、道路１０に敷設されている光ファイバケーブル２０は、断線する可能性がある。そこで、図１３〜図１５を参照して、他の実施の形態に係る道路監視システムにおける光ファイバケーブル２０の断線時のファイバセンシング部３３１の動作について説明する。なお、図１３〜図１５においては、検出部３３２の図示は省略されている。
【００７６】
図１３の例は、図９の構成において、道路１０の光ファイバケーブル２０が断線した例である。ファイバセンシング部３３１は、光ファイバケーブル２０が断線した場合でも、パルス光を光ファイバケーブル２０に入射し続ける。これにより、通信キャリア局舎３０は、断線された位置までの区間において、継続してモニタをすることが可能である。
【００７７】
図１４の例は、図１０の構成において、道路１０Ａの光ファイバケーブル２０が断線した例である。ファイバセンシング部３３１Ａ，３３１Ｚは、光ファイバケーブル２０が断線した場合でも、パルス光を光ファイバケーブル２０に入射し続ける。このとき、道路１０は必ず２つ以上の通信キャリア局舎３０（図１４では、２つの通信キャリア局舎３０Ａ，３０Ｚ）と接続されている。そのため、通信キャリア局舎３０Ａ，３０Ｚが双方向からモニタを行うことにより、１重障害においては、全区間を継続してモニタすることができる冗長構成を構築可能である。
【００７８】
図１５の例は、図１２の構成において、道路１０Ａの光ファイバケーブル２０が断線した例である。ファイバセンシング部３３１Ａ，３３１Ｚは、光ファイバケーブル２０が断線した場合でも、パルス光を光ファイバケーブル２０に入射し続ける。このとき、図１５の例では、光ファイバケーブル２０をリング状に接続したリング構成が構築されている。そのため、１つの通信キャリア局舎３０ＡＺからリングの双方向にモニタを行うことにより、１重障害においては、全区間を継続してモニタすることができる冗長構成を構築可能である。
【００７９】
以上、実施の形態を参照して本開示を説明したが、本開示は上述の実施の形態に限定されるものではない。本開示の構成や詳細には、本開示のスコープ内で当業者が理解し得る様々な変更をすることができる。
【００８０】
また、上記の実施の形態の一部又は全部は、以下の付記のようにも記載されうるが、以下には限られない。
（付記１）
道路に敷設された通信用光ファイバを含むケーブルと、
前記ケーブルに含まれる少なくとも１つの通信用光ファイバから、光信号を受信する受信部と、
前記光信号に基づいて、前記道路の状態に応じたパターンを検出し、検出された前記道路の状態に応じたパターンに基づいて、前記道路の異常状態を検出する検出部と、
を備える道路監視システム。
（付記２）
前記受信部は、
前記光信号に基づいて、前記光信号が発生した前記道路の位置を特定し、
前記検出部は、
前記検出された前記道路の状態に応じたパターンに基づいて、前記特定された前記道路の位置の異常状態を検出する、
付記１に記載の道路監視システム。
（付記３）
前記検出された前記道路の異常状態の情報を、車両の運転者に配信する配信部をさらに備える、
付記１又は２に記載の道路監視システム。
（付記４）
道路に敷設されたケーブルに含まれる少なくとも１つの通信用光ファイバから、光信号を受信する受信部と、
前記光信号に基づいて、前記道路の状態に応じたパターンを検出し、検出された前記道路の状態に応じたパターンに基づいて、前記道路の異常状態を検出する検出部と、
を備える道路監視装置。
（付記５）
前記受信部は、
前記光信号に基づいて、前記光信号が発生した前記道路の位置を特定し、
前記検出部は、
前記検出された前記道路の状態に応じたパターンに基づいて、前記特定された前記道路の位置の異常状態を検出する、
付記４に記載の道路監視装置。
（付記６）
道路監視装置による道路監視方法であって、
道路に敷設されたケーブルに含まれる少なくとも１つの通信用光ファイバから、光信号を受信し、
前記光信号に基づいて、前記道路の状態に応じたパターンを検出し、検出された前記道路の状態に応じたパターンに基づいて、前記道路の異常状態を検出する、
道路監視方法。
（付記７）
コンピュータに、
道路に敷設されたケーブルに含まれる少なくとも１つの通信用光ファイバから、光信号を受信する手順と、
前記光信号に基づいて、前記道路の状態に応じたパターンを検出し、検出された前記道路の状態に応じたパターンに基づいて、前記道路の異常状態を検出する手順と、
を実行させるためのプログラムを格納した非一時的なコンピュータ可読媒体。
【００８１】
この出願は、２０１８年１２月６日に出願された日本出願特願２０１８−２２９１８５を基礎とする優先権を主張し、その開示の全てをここに取り込む。
【符号の説明】
【００８２】
１０，１０Ａ，１０Ｂ  道路
２０  光ファイバケーブル
３０，３０Ａ，３０Ｚ，３０ＡＺ  通信キャリア局舎
３１，３１Ａ，３１Ｚ  通信設備
３２，３２Ａ，３２Ｚ  フィルタ
３３  道路監視装置
３３１，３３１Ａ，３３１Ｚ  ファイバセンシング部
３３２  検出部
３４  データ収集部
４０  コンピュータ
４０１  プロセッサ
４０２  メモリ
４０３  ストレージ
４０４  入出力インタフェース
４０４１  表示装置
４０４２  入力装置
４０５  通信インタフェース
５０  交通管制システム
【図１】
2020116032.tif 000003
【図２】
2020116032.tif 000004
【図３】
2020116032.tif 000005
【図４】
2020116032.tif 000006
【図５】
2020116032.tif 000007
【図６】
2020116032.tif 000008
【図７】
2020116032.tif 000009
【図８】
2020116032.tif 000010
【図９】
2020116032.tif 000011
【図１０】
2020116032.tif 000012
【図１１】
2020116032.tif 000013
【図１２】
2020116032.tif 000014
【図１３】
2020116032.tif 000015
【図１４】
2020116032.tif 000016
【図１５】
2020116032.tif 000017
【手続補正書】
【提出日】令和3年5月20日(2021.5.20)
【手続補正１】
【補正対象書類名】特許請求の範囲
【補正対象項目名】全文
【補正方法】変更
【補正の内容】
【特許請求の範囲】
【請求項１】
道路に敷設された通信用光ファイバを含むケーブルと、
前記ケーブルに含まれる少なくとも１つの通信用光ファイバから、光信号を受信する受信部と、
前記光信号に基づいて、前記道路の状態に応じたパターンを検出し、検出された前記道路の状態に応じたパターンに基づいて、前記道路の異常状態を検出する検出部と、
を備える道路監視システム。
【請求項２】
前記受信部は、
前記光信号に基づいて、前記光信号が発生した前記道路の位置を特定し、
前記検出部は、
前記検出された前記道路の状態に応じたパターンに基づいて、前記特定された前記道路の位置の異常状態を検出する、
請求項１に記載の道路監視システム。
【請求項３】
前記検出された前記道路の異常状態の情報を、車両の運転者に配信する配信部をさらに備える、
請求項１又は２に記載の道路監視システム。
【請求項４】
道路に敷設されたケーブルに含まれる少なくとも１つの通信用光ファイバから、光信号を受信する受信部と、
前記光信号に基づいて、前記道路の状態に応じたパターンを検出し、検出された前記道路の状態に応じたパターンに基づいて、前記道路の異常状態を検出する検出部と、
を備える道路監視装置。
【請求項５】
前記受信部は、
前記光信号に基づいて、前記光信号が発生した前記道路の位置を特定し、
前記検出部は、
前記検出された前記道路の状態に応じたパターンに基づいて、前記特定された前記道路の位置の異常状態を検出する、
請求項４に記載の道路監視装置。
【請求項６】
道路監視装置による道路監視方法であって、
道路に敷設されたケーブルに含まれる少なくとも１つの通信用光ファイバから、光信号を受信し、
前記光信号に基づいて、前記道路の状態に応じたパターンを検出し、検出された前記道路の状態に応じたパターンに基づいて、前記道路の異常状態を検出する、
道路監視方法。
【請求項７】
コンピュータに、
道路に敷設されたケーブルに含まれる少なくとも１つの通信用光ファイバから、光信号を受信する手順と、
前記光信号に基づいて、前記道路の状態に応じたパターンを検出し、検出された前記道路の状態に応じたパターンに基づいて、前記道路の異常状態を検出する手順と、
を実行させるためのプログラム。
【国際調査報告】
2020116032.tif 000018
2020116032.tif 000019